(57)【要約】【課題】近接無線通信の電波とタッチセンサの電界との相互干渉を抑制することが可能な通信装置を提供する。【解決手段】静電容量の変化を利用して入力媒体の接触または接近を検出するタッチセンサ８８と、近接無線通信が可能な通信範囲内に存在する情報処理端末７０と近接無線通信を行う近接無線通信手段８０とを備えた通信装置において、通信装置の近接無線通信手段と情報処理端末との距離が近接無線通信の範囲内である場合に、タッチセンサによる入力媒体の検出感度を低下させる。これにより、近接無線通信に用いられる電波１１０がタッチセンサ８８に接近した際に、タッチセンサの電界１００を弱くすることが可能となり、近接無線通信の電波とタッチセンサの電界との相互干渉を抑制することが可能となる。【選択図】図９
2014170443.tif 000002
【特許請求の範囲】
【請求項１】
静電容量の変化を利用して、入力媒体の接触または接近を検出するタッチセンサと、
近接無線通信が可能な通信範囲内に存在する情報処理端末と近接無線通信を行う近接無線通信手段と、
を備えた通信装置であって、
前記タッチセンサによる前記入力媒体の接触または接近の検出に従って、当該通信装置の作動を制御する制御装置を備え、
前記制御装置は、
前記近接無線通信手段と前記情報処理端末との距離が前記通信範囲内である場合に、前記タッチセンサによる入力媒体の検出感度を低下させる感度低下部
を有することを特徴とする通信装置。
【請求項２】
前記感度低下部は、
静電容量の変化を検出可能な範囲を縮小することで、前記タッチセンサによる入力媒体の検出感度を低下させることを特徴とする請求項１に記載の通信装置。
【請求項３】
前記タッチセンサは、
２つの電極間で発生する電界を利用して静電容量の変化を検出することで、入力媒体の接触または接近を検出し、
前記感度低下部は、
前記２つの電極間で発生する電界を弱くすることで、前記タッチセンサによる入力媒体の検出感度を低下させることを特徴とする請求項１又は請求項２に記載の通信装置。
【請求項４】
前記感度低下部は、
前記タッチセンサへの通電を遮断することで、前記タッチセンサによる入力媒体の検出感度を低下させることを特徴とする請求項１乃至請求項３のいずれか１つに記載の通信装置。
【請求項５】
前記制御装置は、
前記近接無線通信手段と前記情報処理端末との距離が前記通信範囲内である場合であっても、前記タッチセンサによる前記入力媒体の接触または接近の検出に基づく指示受け付け中には、前記感度低下部による前記タッチセンサの検出感度の低下を制限する感度低下制限部を備えることを特徴とする請求項１乃至請求項４のいずれか１つに記載の通信装置。
【請求項６】
当該通信装置は、
画像を表示する表示手段を備え、
前記感度低下制限部は、
前記近接無線通信手段と前記情報処理端末との距離が前記通信範囲内である場合であっても、前記入力媒体の接触または接近を求める内容が前記表示手段に表示されている際には、前記感度低下部による前記タッチセンサの検出感度の低下を制限することを特徴とする請求項５に記載の通信装置。
【請求項７】
前記感度低下制限部は、
前記近接無線通信手段と前記情報処理端末との距離が前記通信範囲内である場合であっても、前記タッチセンサによる前記入力媒体の接触または接近を検出してから設定時間経過するまで、前記感度低下部による前記タッチセンサの検出感度の低下を制限することを特徴とする請求項５又は請求項６に記載の通信装置。
【請求項８】
当該通信装置は、
複数の前記タッチセンサを備え、
前記感度低下部は、
前記複数のタッチセンサのうちの、前記近接無線通信手段の近くに配設されている一部による入力媒体の検出感度を低下させることを特徴とする請求項１乃至請求項７のいずれか１つに記載の通信装置。
【請求項９】
当該通信装置は、
ボタン操作を受け付ける受付手段を備え、
前記制御装置は、
前記感度低下部によって前記タッチセンサの検出感度が低下させられている際に、前記受付手段がボタン操作を受け付けた場合に、前記タッチセンサによる前記入力媒体の接触または接近に従った前記通信装置の作動の制御と同様に、前記通信装置の作動を制御する別操作作動制御部を備えることを特徴とする請求項１乃至請求項８のいずれか１つに記載の通信装置。
【請求項１０】
当該通信装置は、
画像を表示する表示手段を備え、
前記制御装置は、
前記感度低下部によって前記タッチセンサの検出感度が低下させられている際に、前記表示部に前記タッチセンサの検出感度が低下している旨の画像を表示する画像表示部を備えることを特徴とする請求項１乃至請求項９のいずれか１つに記載の通信装置。
【請求項１１】
前記タッチセンサは、
トップカバーと、前記トップカバーを照らす照明手段とを有し、
前記制御装置は、
前記感度低下部によって前記タッチセンサの検出感度が低下させられている場合に、前記照明手段が消灯し、前記感度低下部によって前記タッチセンサの検出感度が低下させられていない場合に、前記照明手段が点灯するように、前記照明手段を制御する照明手段制御部を備えることを特徴とする請求項１乃至請求項１０のいずれか１つに記載の通信装置。
【請求項１２】
当該通信装置は、
画像を表示する表示手段を備え、
前記タッチセンサは、
前記表示部と前記近接無線通信手段との間に配設されることを特徴とする請求項１乃至請求項１１に記載の通信装置。
【請求項１３】
当該通信装置は、
画像を表示する表示手段を備え、
前記タッチセンサの有するトップカバーと、前記近接無線通信手段の有するトップカバーと、前記表示手段の有するトップカバーとが、面一に設けられたことを特徴とする請求項１乃至請求項１２のいずれか１つに記載の通信装置。
【請求項１４】
前記タッチセンサの有するトップカバーと、前記近接無線通信手段の有するトップカバーと、前記表示手段の有するトップカバーとが、１枚の透明な板状部材によって構成されたことを特徴とする請求項１３に記載の通信装置。
【請求項１５】
静電容量の変化を利用して、入力媒体の接触または接近を検出するタッチセンサと、
近接無線通信が可能な通信範囲内に存在する情報処理端末と近接無線通信を行う近接無線通信手段と、
を備えた通信装置のコンピュータが読み取り可能なプログラムであって、
前記近接無線通信手段と前記情報処理端末との距離が前記通信範囲内である場合に、前記タッチセンサによる入力媒体の検出感度を低下させる感度低下手段
として前記コンピュータを機能させることを特徴とするプログラム。
【発明の詳細な説明】
【技術分野】
【０００１】
本発明は、情報処理端末と近接無線通信を行う通信装置及び、通信装置の作動を制御するためのプログラムに関する。
【背景技術】
【０００２】
近年、下記特許文献１に記載されているように、スマートフォン，タブレットＰＣ等の情報処理端末と近接無線通信を行うことが可能な通信装置の開発が進められている。近接無線通信では、情報処理端末を通信装置に近づけるだけで、データの送受信を行うことが可能である。また、通信装置には、ユーザの指等の入力媒体の接近または接触を検出するタッチセンサ式の操作ボタンが設けられているものがある。タッチセンサ式の操作ボタンとしては、下記特許文献２に記載されているように、静電容量の変化を利用して、入力媒体の接近または接触を検出するものがある。
【先行技術文献】
【特許文献】
【０００３】
【特許文献１】特開２０１２−１６０２０７号公報
【特許文献２】特開２０１２−９５１８０号公報
【発明の概要】
【発明が解決しようとする課題】
【０００４】
上述したように、近接無線通信および、静電容量の変化を利用したタッチセンサ式の操作ボタン（以下、静電容量方式のタッチセンサと略して記載する場合もある）は、非常に有益な技術であり、通信装置に用いることで、通信装置の実用性が向上する。しかしながら、近接無線通信に用いられる電波と、静電容量方式のタッチセンサに用いられる電界とが、相互干渉する虞がある。特に、ユーザの操作性を考慮して、近接無線通信のアンテナ部と静電容量方式のタッチセンサとが隣接して配設された場合には、電波と電界との相互干渉が発生する確率は非常に高くなる。電波と電界との間で相互干渉が発生すると、近接無線通信が確立し難くなったり、静電容量方式のタッチセンサが誤作動を起こす虞があるため、電波と電界との相互干渉は望ましくない。
【０００５】
本発明は、そのような事情に鑑みてなされたものであり、静電容量方式のタッチセンサを有するとともに、情報処理端末との間で近接無線通信を行うことが可能な通信装置において、近接無線通信に用いられる電波と、静電容量方式のタッチセンサに用いられる電界との相互干渉を抑制する技術を提供する。
【課題を解決するための手段】
【０００６】
上記課題を解決するために、本発明に記載の通信装置は、静電容量の変化を利用して、入力媒体の接触または接近を検出するタッチセンサと、近接無線通信が可能な通信範囲内に存在する情報処理端末と近接無線通信を行う近接無線通信手段と、を備えた通信装置であって、前記タッチセンサによる前記入力媒体の接触または接近の検出に従って、当該通信装置の作動を制御する制御装置を備え、前記制御装置は、前記近接無線通信手段と前記情報処理端末との距離が前記通信範囲内である場合に、前記タッチセンサによる入力媒体の検出感度を低下させる感度低下部を有することを特徴とする。
【０００７】
また、本発明に記載のプログラムは、静電容量の変化を利用して、入力媒体の接触または接近を検出するタッチセンサと、近接無線通信が可能な通信範囲内に存在する情報処理端末と近接無線通信を行う近接無線通信手段と、を備えた通信装置のコンピュータが読み取り可能なプログラムであって、前記近接無線通信手段と前記情報処理端末との距離が前記通信範囲内である場合に、前記タッチセンサによる入力媒体の検出感度を低下させる感度低下手段として前記コンピュータを機能させることを特徴とする。
【発明の効果】
【０００８】
本発明に記載の通信装置及びプログラムでは、通信装置の近接無線通信手段と情報処理端末との距離が近接無線通信の範囲内である場合に、静電容量方式のタッチセンサによる入力媒体の検出感度を低下させている。なお、本発明での「検出感度を低下させる」という概念には、入力媒体の接近等を静電容量の変化によって検出可能な範囲を縮小するという概念だけでなく、入力媒体の接近等を検出できなくなるという概念も含まれる。つまり、検出感度を低下させるという概念には、検出感度を０まで低下させるという概念も含まれる。このように、静電容量方式のタッチセンサの検出感度を低下させることで、静電容量方式のタッチセンサの電界を弱くする、若しくは、電界自体を発生させなくすることが可能となり、近接無線通信の電波とタッチセンサの電界との相互干渉を抑制することが可能となる。
【０００９】
また、タッチセンサへの通電を遮断することで、タッチセンサの検出感度を低下させることが可能である。これにより、確実に、近接無線通信の電波とタッチセンサの電界との相互干渉を抑制することが可能となる。
【００１０】
また、通信装置の近接無線通信手段と情報処理端末との距離が近接無線通信の範囲内であっても、タッチセンサの操作中には、タッチセンサの検出感度の低下を制限することが可能である。これにより、タッチセンサを用いた入力操作の中断を回避することが可能となる。
【００１１】
また、通信装置の近接無線通信手段と情報処理端末との距離が近接無線通信の範囲内であっても、表示手段に表示された指示等に従って、タッチセンサが操作されている際には、タッチセンサの検出感度の低下を制限することが可能である。これにより、表示手段に表示された指示等に従って、入力操作を優先して実行することが可能となる。
【００１２】
また、通信装置の近接無線通信手段と情報処理端末との距離が近接無線通信の範囲内であっても、タッチセンサが操作された後に設定時間が経過するまでは、タッチセンサの検出感度の低下を制限することが可能である。これにより、タッチセンサを用いた入力操作の中断を、確実に回避することが可能となる。
【００１３】
また、複数のタッチセンサが設けられている通信装置では、通信装置の近接無線通信手段と情報処理端末との距離が近接無線通信の範囲内である場合に、それら複数のタッチセンサのうちの近接無線通信手段の近くに配設されている一部のタッチセンサの検出感度を低下させることが可能である。これにより、検出感度を低下させるタッチセンサ以外のタッチセンサの操作を、通常通りに行うことが可能となる。
【００１４】
また、ボタン操作を受け付ける受付手段が設けられた通信装置では、検出感度が低下しているタッチセンサの代わりに、受付手段に対してボタン操作を実行することで、タッチセンサへの操作に従った通信装置の作動と同様に、通信装置を作動させることが可能である。これにより、タッチセンサの検出感度の低下により生じる操作性の低下を防止することが可能となる。
【００１５】
また、タッチセンサの検出感度が低下させられている際に、タッチセンサの検出感度が低下している旨の画像を表示手段に表示することが可能である。これにより、ユーザは、タッチセンサの低下を認知することが可能となり、便利である。
【００１６】
また、タッチセンサが、トップカバーを照らす照明手段を有している場合には、タッチセンサの検出感度が低下させられている際に、照明手段を消灯し、タッチセンサの検出感度が低下させられていない際に、照明手段を点灯することが可能である。これにより、検出感度が低下しているタッチセンサへのユーザ操作を抑制することが可能となる。
【００１７】
また、タッチセンサを、表示手段と近接無線通信手段との間に配設することが可能である。これにより、タッチセンサと表示手段と近接無線通信手段とを近接して配設することが可能となり、近接無線通信時において、表示画像等の指示に従ったタッチセンサの操作性が向上する。
【００１８】
また、タッチセンサのトップカバーと表示手段のトップカバーと近接無線通信手段のトップカバーとを、面一にすることが可能である。これにより、タッチセンサと表示手段と近接無線通信手段との表面に段差が無くなり、操作性が向上する。
【００１９】
また、タッチセンサのトップカバーと表示手段のトップカバーと近接無線通信手段のトップカバーとを、１枚の透明な板状部材によって構成することが可能である。これにより、通信装置の部品点数を少なくすることが可能となる。
【図面の簡単な説明】
【００２０】
【図１】ＭＦＰ１０のブロック図である。
【図２】ＭＦＰ１０のパネル１６とボタン入力部１８とＮＦＣＩ／Ｆ２８のアンテナ部８０とを示す平面図である。
【図３】ＭＦＰ１０のパネル１６とボタン入力部１８とＮＦＣＩ／Ｆ２８のアンテナ部８０とを示す断面図である。
【図４】アンテナ部８０に携帯電話７０が近づけられた状態のパネル１６とボタン入力部１８とＮＦＣＩ／Ｆ２８のアンテナ部８０とを示す断面図である。
【図５】アンテナ部８０に携帯電話７０が近づけられた状態のパネル１６とボタン入力部１８とＮＦＣＩ／Ｆ２８のアンテナ部８０とを示す平面図である。
【図６】アンテナ部８０に携帯電話７０が近づけられた状態のパネル１６とボタン入力部１８とＮＦＣＩ／Ｆ２８のアンテナ部８０とを示す平面図である。
【図７】ＭＦＰ１０の動作フローチャートを示す図である。
【図８】ＭＦＰ１０の動作フローチャートを示す図である。
【図９】変形例のＭＦＰ１０でアンテナ部８０に携帯電話７０が近づけられた状態のパネル１６とボタン入力部１８とＮＦＣＩ／Ｆ２８のアンテナ部８０とを示す断面図である。
【発明を実施するための形態】
【００２１】
＜ＭＦＰの構成＞
図１に、本願に係る実施形態として例示されるＭＦＰ（Multifunction Peripheralの略）（本発明の通信装置の一例）１０のブロック図を示す。ＭＦＰ１０は、ＣＰＵ（Central Processing Unitの略）（本発明の制御装置およびコンピュータの一例）１２、記憶部１４、パネル（本発明の表示手段の一例）１６、ボタン入力部１８、プリンタ２０、スキャナ２２、モデム２４、電話回線接続部２６、ＮＦＣ（Near Field Communicationの略）Ｉ／Ｆ（本発明の近接無線通信手段の一例）２８を主に備えている。これらの構成要素は、入出力ポート３０を介して互いに通信可能とされている。
【００２２】
パネル１６は、ＭＦＰ１０の各種機能を表示する表示面を備える。ボタン入力部１８は、タッチセンサを有しており、入力媒体のボタン入力部１８への接近または接触を検出し、ユーザによるボタン操作を受け付ける。
【００２３】
プリンタ２０は、印刷を実行する部位である。スキャナ２２は、原稿をスキャンして、スキャンデータを作成する部位である。モデム２４は、ファクシミリ機能によって送信する原稿データを、電話回線網３２に伝送可能な信号に変調して電話回線接続部２６を介して送信したり、電話回線網３２から電話回線接続部２６を介して入力された信号を受信し、原稿データを復調するものである。
【００２４】
また、ＣＰＵ１２は、記憶部１４内の制御プログラム（本発明のプログラムの一例）５０に従って処理を実行する。制御プログラム５０は、ボタン入力部１８のタッチセンサの感度を変更するためのプログラムである。なお、記憶部１４は、ＲＡＭ（Random Access Memoryの略）、ＲＯＭ（Read Only Memoryの略）、フラッシュメモリー、ＨＤＤ（ハードディスクの略）、ＣＰＵ１２が備えるバッファなどが組み合わされて構成されている。
【００２５】
また、記憶部１４は、データ記憶領域５２を備える。データ記憶領域５２は、パネル１６に表示するための画像の画像データ、制御プログラム５０の実行に必要なデータなどを記憶する領域である。
【００２６】
ＮＦＣＩ／Ｆ２８は、ＩＳＯ／ＩＥＣ２１４８１またはＩＳＯ／ＩＥＣ１８０９２の国際標準規格に基づいて、携帯電話７０（本発明の情報処理端末の一例）との間で、ＮＦＣ方式の無線通信６０を行うことが可能とされている。すなわち、ＭＦＰ１０は、ＮＦＣ方式の無線通信６０を行える状態になれば、携帯電話７０と直接、データ通信することが可能になる。
【００２７】
＜ＭＦＰの動作＞
ＭＦＰ１０は、上述したように、ＮＦＣＩ／Ｆ２８を介して、ＮＦＣ方式の無線通信６０を行うことが可能とされており、携帯電話７０と直接、データ通信することが可能とされている。詳しくは、ＮＦＣＩ／Ｆ２８は、携帯電話７０との無線通信６０に用いられる電波の送受信を行うアンテナ部８０を有している。アンテナ部８０は、図２に示すように、ＭＦＰ１０の躯体８２の上面に配設されている。ちなみに、アンテナ部８０の隣には、ボタン入力部１８が配設されており、そのボタン入力部１８の隣には、パネル１６が配設されている。
【００２８】
アンテナ部８０は、図３に示すように、トップカバー（本発明のトップカバーおよび板状部材の一例）８６によって覆われている。そのトップカバー８６は、ボタン入力部１８のタッチセンサ８８（本発明のタッチセンサの一例）および、パネル１６の表示部９０も覆っている。つまり、１枚のトップカバー８６が、アンテナ部８０とボタン入力部１８とパネル１６とのトップカバーを兼用している。
【００２９】
そして、ＭＦＰ１０と携帯電話７０との間でＮＦＣ方式の無線通信６０を確立させる際に、ユーザは、携帯電話７０をアンテナ部８０に接近させる。携帯電話７０のアンテナ部８０への接近により、携帯電話７０とアンテナ部８０との距離が、携帯電話７０の無線通信の通信範囲内となると、携帯電話７０とアンテナ部８０、つまり、ＭＦＰ１０との間で、ＮＦＣ方式の無線通信６０が確立する。これにより、ＭＦＰ１０は、ＮＦＣ方式の無線通信６０を利用して、電話番号，画像等のデータの送受信等を携帯電話７０と行うことが可能となる。
【００３０】
ただし、ＭＦＰ１０では、ＮＦＣＩ／Ｆ２８のアンテナ部８０が、ボタン入力部１８のタッチセンサ８８に近接して設けられているため、ＮＦＣ方式の無線通信６０に用いられる電波と、ボタン入力部１８のタッチセンサに用いられる電界とが、相互干渉し、ＮＦＣ方式の無線通信６０が確立し難くなったり、ボタン入力部１８のタッチセンサ８８が誤作動を起こす虞がある。なお、アンテナ部８０とタッチセンサ８８との距離は、電波及び電界が通常時の強さである場合に、携帯電話７０とアンテナ部８０との間で通信可能な距離になった場合に、無線通信６０の電波が、タッチセンサ８８の電界１００と干渉を生じ得るときの距離であり、装置設計によって適宜設定されるものである。
【００３１】
具体的には、まず、タッチセンサ８８の構造について説明する。タッチセンサ８８は、図３に示すように、送信電極９６と受信電極９８とを有している。送信電極９６に電流が供給されると、送信電極９６と受信電極９８との間に電界１００が発生する。そして、その電界１００内に、ユーザの指等の入力媒体が進入することで、電界１００が変化し、その変化により、入力媒体の接近または接触が検出される。このような構造のタッチセンサ８８は、静電容量方式のタッチセンサのうちの相互容量検出方式のタッチセンサと呼ばれている。なお、タッチセンサ８８は、ＬＥＤ（本発明の照明手段の一例）１０２も有しており、ＬＥＤ１０２の点灯により、ボタン入力部１８の各ボタンが、図２に示すように、トップカバー８６に表示される。
【００３２】
このように、相互容量検出方式のタッチセンサ８８では、タッチセンサ８８周辺に電界１００が形成されている。一方、ＮＦＣ方式の無線通信６０を確立させる際には、上述したように、タッチセンサ８８の隣に配設されているアンテナ部８０に、携帯電話７０が近づけられる。すると、図４に示すように、携帯電話７０から発せられる無線通信６０のための電波１１０が、電界１００に接近し、携帯電話７０の電波１１０とタッチセンサ８８の電界１００とが相互干渉する。
【００３３】
このようなことに鑑みて、ＭＦＰ１０では、携帯電話７０がアンテナ部８０に近づけられ、アンテナ部８０と携帯電話７０との距離が無線通信６０の範囲内となった場合、つまり、アンテナ部８０と携帯電話７０との距離が無線通信６０で用いられる電波のおよぶ範囲内となった場合に、タッチセンサ８８への通電を遮断している。具体的には、携帯電話７０から発せられる電波１１０をアンテナ部８０が受信した場合に、送信電極９６への電力供給を停止している。これにより、タッチセンサ８８に電界１００が発生しなくなり、携帯電話７０の電波１１０とタッチセンサ８８の電界１００との相互干渉を抑制することが可能となる。
【００３４】
ただし、タッチセンサ８８への通電の遮断により、タッチセンサ８８は、操作ボタンとしての機能を発揮することができなくなる。つまり、ボタン入力部１８によるＭＦＰ１０の操作等ができなくなる。このため、ＭＦＰ１０では、ボタン入力部１８の一部のボタンのタッチセンサ８８への通電が遮断される。詳しくは、ボタン入力部１８は、図２に示すように、９個の数字キー１２０と３個の個別キー１２２によって構成されており、数字キー１２０がアンテナ部８０の隣に配設されており、個別キー１２２はパネル１６の隣に配設されている。つまり、数字キー１２０は、アンテナ部８０の近くに配設され、個別キー１２２は、アンテナ部８０から離れて配設されており、数字キー１２０は、アンテナ部８０に近づけられる携帯電話７０の電波１１０の影響を受けやすいが、個別キー１２２は、電波１１０の影響を受け難い。このため、携帯電話７０がアンテナ部８０に近づけられた場合において、数字キー１２０のタッチセンサ８８への通電が遮断され、個別キー１２２のタッチセンサ８８への通電は維持される。これにより、携帯電話７０がアンテナ部８０に近づけられた場合であっても、電波１１０の影響を受け難い個別キー１２２の操作を行うことが可能となる。なお、アンテナ部８０の近くに配設される数字キー１２０のタッチセンサ８８は、アンテナ部８０に近づけられる携帯電話７０の電波１１０の範囲内に配設されるタッチセンサと言い換えることが可能であり、アンテナ部８０から離れて配設される個別キー１２２のタッチセンサ８８は、アンテナ部８０に近づけられる携帯電話７０の電波１１０の範囲外に配設されるタッチセンサと言い換えることが可能である。
【００３５】
また、携帯電話７０がアンテナ部８０に近づけられ、数字キー１２０のタッチセンサ８８への通電が遮断された際には、数字キー１２０のタッチセンサ８８の有するＬＥＤ１０２が消灯される。これにより、数字キー１２０は、図５に示すように、トップカバー８６に表示されなくなる。さらに、数字キー１２０のタッチセンサ８８への通電が遮断された際には、数字キー１２０への入力ができない旨の画像が、パネル１６に表示される。これにより、携帯電話７０のアンテナ部８０への接近により、数字キー１２０への操作ができないことをユーザに告知することが可能となる。
【００３６】
また、携帯電話７０のアンテナ部８０への接近により、ＭＦＰ１０と携帯電話７０との間で無線通信６０が確立した場合に、ＭＦＰ１０と携帯電話７０との間で、各種データの送受信が行われる。この際に、各種データの選択等を行うために、数字キー１２０の操作が必要な場合がある。しかしながら、上述したように、携帯電話７０がアンテナ部８０に近づけられた際には、数字キー１２０への入力ができず、操作性が低下する虞がある。
【００３７】
このため、ＭＦＰ１０では、図６に示すように、パネル１６に、９個の仮数字キー（本発明の受付手段の一例）１２８を表示させている。パネル１６は、タッチパネルとしての機能を有しており、仮数字キー１２８への操作を受け付けることが可能である。仮数字キー１２８への操作が受け付けられると、ＭＦＰ１０では、数字キー１２０が操作されたときと同じ処理が実行される。これにより、数字キー１２０の操作による処理と同様の処理を行うことが可能となり、操作性の低下を回避することが可能となる。
【００３８】
なお、上述した数字キー１２０のタッチセンサ８８への通電遮断は、数字キー１２０が操作されている場合には、行われない。具体的には、例えば、ユーザが数字キー１２０を用いて、電話番号等を入力している際には、電話番号の入力作業を優先して行うことが好ましい。このため、数字キー１２０が操作され、その操作に基づく入力や選択の指示を受け付けている場合には、携帯電話７０がアンテナ部８０に近づけられても、数字キー１２０のタッチセンサ８８への通電遮断は行われない。
【００３９】
ちなみに、数字キー１２０が操作中であるか否か、すなわち、数字キー１２０の操作に基づく入力や選択の指示を受け付けているか否かの判断は、以下の手法によって行われる。まず、第１の判断手法では、数字キー１２０が操作されてから所定の設定時間経過するまでは、数字キー１２０の操作中であると判断される。また、ＭＦＰ１０で印刷，スキャン等が行われる際には、ユーザが行うべき作業内容がパネル１６に表示される場合がある。このため、数字キー１２０を用いて所定の数字等を入力する旨の作業内容がパネル１６に表示され、ユーザが、パネル１６の表示内容に従って、数字キー１２０を用いた入力作業を行う場合がある。このため、第２の判断手法では、数字キー１２０を用いた所定の入力を求める旨が、パネル１６に表示されている場合には、数字キー１２０の操作中であると判断される。これにより、所定の作業において、数字キー１２０の操作が予定されている場合も、数字キー１２０の操作中と判断することが可能となり、数字キー１２０の操作を確実に行うことが可能となる。
【００４０】
＜制御プログラム＞
上述した携帯電話７０の電波１１０とタッチセンサ８８の電界１００との相互干渉の抑制は、ＣＰＵ１２において制御プログラム５０が実行されることによって行われる。具体的に、図７及び図８を用いて、携帯電話７０の電波１１０とタッチセンサ８８の電界１００との相互干渉を抑制するためのフローを説明する。なお、本プログラムは、ＭＦＰ１０の電源がオンされた場合に実行される。
【００４１】
制御プログラム５０では、まず、数字キー１２０及び個別キー１２２のタッチセンサ８８に電流が供給される（ステップ（以下、「Ｓ」と略す）１００）。これにより、数字キー１２０及び個別キー１２２のタッチセンサ８８周辺に電界１００が形成され、数字キー１２０及び個別キー１２２によって、入力媒体の接近または接触を検出することが可能となる。
【００４２】
次に、携帯電話７０によって発せられた電波１１０をアンテナ部８０が受信したか否かが、ＣＰＵ１２によって判断される（Ｓ１０２）。アンテナ部８０が電波１１０を受信していない場合には（Ｓ１０２のＮＯ）、Ｓ１０２の処理が繰り返される。一方、アンテナ部８０が電波１１０を受信した場合には（Ｓ１０２のＹＥＳ）、数字キー１２０が操作中であるか否かが、ＣＰＵ１２によって判断される（Ｓ１０４）。なお、数字キー１２０が操作中であるか否かの判断は、上述した手法に従って実行される。
【００４３】
数字キー１２０が操作中でない場合には（Ｓ１０４のＮＯ）、数字キー１２０のタッチセンサ８８への通電が遮断される（Ｓ１０６）。つまり、数字キー１２０のタッチセンサ８８への電流供給が止められる。次に、図５に示すように、数字キー１２０への操作ができない旨の画像がパネル１６に表示される（Ｓ１０８）。さらに、数字キー１２０のタッチセンサ８８のＬＥＤ１０２が消灯される（Ｓ１０９）。
【００４４】
続いて、ＭＦＰ１０と携帯電話７０との間で無線通信６０が確立している際に、数字キー１２０への操作が必要であるか否かが、ＣＰＵ１２によって判断される（Ｓ１１０）。無線通信時に数字キー１２０への操作が必要である場合には（Ｓ１１０のＹＥＳ）、仮数字キー１２８がパネル１６に表示される（Ｓ１１２）。一方、無線通信時に数字キー１２０への操作が必要でない場合には（Ｓ１１０のＮＯ）、Ｓ１１２の処理がスキップされる。
【００４５】
次に、無線通信６０が終了したか否かが、ＣＰＵ１２によって判断される（Ｓ１１４）。つまり、携帯電話７０がＭＦＰ１０から離され、アンテナ部８０が携帯電話７０の電波１１０を受信しなくなったか否かが、ＣＰＵ１２によって判断される。無線通信６０が終了していない場合には（Ｓ１１４のＮＯ）、Ｓ１１４の処理が繰り返される。
【００４６】
一方、無線通信６０が終了した場合には（Ｓ１１４のＹＥＳ）、数字キー１２０のタッチセンサ８８に電流が供給される（Ｓ１１６）。続いて、数字キー１２０のタッチセンサ８８のＬＥＤ１０２が点灯される（Ｓ１１７）。以上の処理により、制御プログラム５０が終了する。
【００４７】
また、Ｓ１０４で数字キー１２０が操作中である場合には（Ｓ１０４のＹＥＳ）、無線通信６０が終了したか否かが、ＣＰＵ１２によって判断される（Ｓ１１８）。無線通信６０が終了していない場合には（Ｓ１１８のＮＯ）、Ｓ１１８の処理が繰り返される。一方、無線通信６０が終了した場合には（Ｓ１１８のＹＥＳ）、制御プログラム５０が終了する。なお、制御プログラム５０が終了した場合には、Ｓ１０２以降の処理が行われる。
【００４８】
＜ＣＰＵの機能構成＞
上記制御プログラム５０を実行するＣＰＵ１２は、それの実行処理に鑑みれば、図１に示すような機能構成を有するものと考えることができる。図から解るように、ＣＰＵ１２は、感度低下部１３０（本発明の感度低下部及び感度低下手段の一例）と、感度低下制限部１３２（本発明の感度低下制限部の一例）と、別操作作動制御部１３４（本発明の別操作作動制御部の一例）と、照明手段制御部１３６（本発明の照明手段制御部の一例）と、画像表示部１３８（本発明の画像表示部の一例）とを有している。
【００４９】
感度低下部１３０は、上記制御プログラム５０のＳ１０６の処理を実行する機能部、つまり、数字キー１２０のタッチセンサ８８への通電を遮断する機能部である。感度低下制限部１３２は、上記制御プログラム５０のＳ１０４の処理を実行する機能部、つまり、携帯電話７０がＭＦＰ１０に近づけられても、数字キー１２０が操作中である場合には、数字キー１２０のタッチセンサ８８への通電遮断を制限する機能部である。別操作作動制御部１３４は、上記制御プログラム５０のＳ１１２の処理を実行する機能部、つまり、仮数字キー１２８をパネル１６に表示する機能部である。照明手段制御部１３６は、上記制御プログラム５０のＳ１０９，Ｓ１１７の処理を実行する機能部、つまり、ＬＥＤ１０２の点灯または消灯を制御する機能部である。画像表示部１３８は、上記制御プログラム５０のＳ１０８の処理を実行する機能部、つまり、数字キー１２０への操作が不能である旨の画像をパネル１６に表示する機能部である。
【００５０】
なお、本発明は、上記実施形態に限定されるものではなく、当業者の知識に基づいて種々の変更、改良を施した種々の態様で実施することが可能である。具体的には、例えば、上記実施形態では、携帯電話７０がＭＦＰ１０に近づけられた場合に、タッチセンサ８８への通電が遮断されることで、携帯電話７０の電波１１０とタッチセンサ８８の電界１００との相互干渉が抑制されているが、タッチセンサ８８の電界１００を弱くすることで、電波１１０と電界１００との相互干渉を抑制してもよい。
【００５１】
詳しくは、図９に示すように、タッチセンサ８８の送信電極９６への供給電流量を少なくすることで、送信電極９６と受信電極９８との間で発生する電界１００を弱くしてもよい。これにより、携帯電話７０がＭＦＰ１０に近づけられた場合であっても、携帯電話７０の電波１１０とタッチセンサ８８の電界１００との相互干渉を抑制することが可能となる。また、タッチセンサ８８による操作は可能であることから、操作性の低下を抑制することが可能となる。
【００５２】
また、例えば、上記実施例では、携帯電話７０が電波１１０を発し、携帯電話７０とアンテナ部８０との距離が携帯電話７０の無線通信範囲内となった場合に、タッチセンサ８８の検出感度が低下されているが、アンテナ部８０が電波を発し、携帯電話７０とアンテナ部８０との距離がアンテナ部８０の無線通信範囲内となった場合に、タッチセンサ８８の検出感度を低下させてもよい。
【００５３】
また、例えば、上記実施形態では、携帯電話７０と無線通信６０を行う通信装置として、ＭＦＰ１０が採用されているが、印刷機、ＰＣ（Personal computerの略）等の各種装置が採用されてもよい。
【００５４】
また、ＭＦＰ１０と無線通信６０を行う情報処理端末として、携帯電話７０が採用されているが、タブレット機器、スマートフォン等が採用されてもよい。
【００５５】
また、上記実施形態では、数字キー１２０の代わりのボタンとして、パネル１６に表示された仮数字キー１２８が採用されているが、個別キー１２２等の他のボタンが採用されてもよい。また、数字キー１２０の代わりのボタンとして、タッチセンサ式のボタンに限られず、機械式のボタン等が採用されてもよい。
【００５６】
また、上記実施形態では、タッチセンサ８８として、相互容量検出方式のタッチセンサが採用されているが、自己容量検出方式のタッチセンサが採用されてもよい。自己容量検出方式のタッチセンサとは、電極に発生している寄生容量を検出し、入力媒体の接近により変化する寄生容量に基づいて、入力媒体の接近または接触を検出するものである。
【００５７】
また、上記実施形態では、近接無線通信として、ＮＦＣ方式の無線通信が採用されているが、Ｔｒａｎｓｆｅｒ  Ｊｅｔ方式等の無線通信を採用することも可能である。
【００５８】
また、上記実施例では、ＣＰＵ１２によって図７及び図８に示す処理が実行される例を説明したが、これら処理は、ＣＰＵ１２に限らず、ＡＳＩＣや他の論理集積回路により実行されてもよいし、これら処理が、ＣＰＵ１２やＡＳＩＣ、他の論理集積回路が協働することにより実行されてもよい。
【符号の説明】
【００５９】
１０：ＭＦＰ（通信装置）
１２：ＣＰＵ（制御装置）（コンピュータ）
１６：パネル（表示手段）
２８：ＮＦＣＩ／Ｆ（近接無線通信手段）
５０：制御プログラム（プログラム）
７０：携帯電話（情報処理端末）
８６：トップカバー（板状部材）
８８：タッチセンサ
１０２：ＬＥＤ（照明手段）
１２８：仮数字キー（受付手段）
１３０：感度低下部
１３２：感度低下制限部
１３４：別操作作動制御部
１３６：照明手段制御部
１３８：画像表示部
【図１】
2014170443.tif 000003
【図２】
2014170443.tif 000004
【図３】
2014170443.tif 000005
【図４】
2014170443.tif 000006
【図５】
2014170443.tif 000007
【図６】
2014170443.tif 000008
【図７】
2014170443.tif 000009
【図８】
2014170443.tif 000010
【図９】
2014170443.tif 000011